(57)【要約】【課題】  多数枚積層した状態の食品用包装材を、向きがずれたり痛んだりしないように収容することが可能な食品用包装材収容体を提供すること。【解決手段】  この発明の食品用包装材収容体は、四角形状の四隅に切り欠き部を設けた食品用包装材２を、多数枚積層した状態で収容する収容体であって、背部３とその左右の表部４及び裏部５を有し、内側に積層した食品用包装材２を収容するようにしており、さらに、背部３に切れ込みを形成してその内側部分７を折り曲げ、食品用包装材２の背部３側の切り欠き部に入るようにしたものとしている。【選択図】  図６
2006176163.tif 000002
【特許請求の範囲】
【請求項１】
四角形状の四隅に切り欠き部（１）を設けた食品用包装材（２）を、多数枚積層した状態で収容する収容体であって、背部（３）とその左右の表部（４）及び裏部（５）を有し、内側に積層した食品用包装材（２）を収容するようにしており、さらに、背部（３）に切れ込み（６）を形成してその内側部分（７）を折り曲げ、食品用包装材（２）の背部（３）側の切り欠き部（１）に入るようにしていることを特徴とする食品用包装材収容体。
【請求項２】
表部（４）又は裏部（５）に隣接する延長部（１５）を設けた請求項１記載の食品用包装材収容体。
【請求項３】
背部（３）の切れ込み（６）が、表部（４）及び裏部（５）との境界線上に形成されている請求項１又は２記載の食品用包装材収容体。
【発明の詳細な説明】
【技術分野】
【０００１】
この発明は、おにぎり等を包装するのに使用する食品用包装材を収容するための収容体に関するものである。
【背景技術】
【０００２】
従来から、コンビニエンスストア等の店舗において、各種の包装されたおにぎりが販売されているが、この包装されたおにぎりは、にぎり飯を、四隅を切り欠いた形状の外フィルムと内フィルムとの間の収容部に海苔等のシート状食品を収容した袋状の食品用包装材で包まれた状態となっており、食品用包装材を開封すると、にぎり飯がシート状食品に巻かれるようになっている。
【０００３】
このような包装されたおにぎりは、最近では、にぎり飯を順次食品用包装材で包むようにした装置により自動的に生産されるようになっているが、前記装置には次々に食品用包装材を供給する必要があるため、食品用包装材を多数枚積層した状態にしておかなければならない。
【０００４】
しかし、積層した状態の食品用包装材を保管、運搬するのに適した収容体はこれまでにはなかった。複数枚の包装物を収容するものとしては、特許文献１に記載のような、衣料包装体を収納する主包装体があるが、四隅に切り欠き部を設けた食品用包装材を収容するものは存在しなかった。
【０００５】
そのため、積層した状態の食品用包装材は、単に紐でくくったり袋に入れたりしていただけで、車での運搬時等に揺れて各食品用包装材の向きがずれたり、あるいは縁部が何かにぶつかって変形、損傷する等痛んだりすることが多く、食品用包装材を前記装置にスムーズに供給できなかったり、供給しても装置が正常に作動しなかったりして、包装されたおにぎりの生産に支障をきたすことがあった。
【特許文献１】特許第３２５４４１２号公報
【発明の開示】
【発明が解決しようとする課題】
【０００６】
そこで、この発明は、多数枚積層した状態の食品用包装材を、向きがずれたり痛んだりしないように収容することが可能な食品用包装材収容体を提供することを課題とする。
【課題を解決するための手段】
【０００７】
この発明の食品用包装材収容体は、四角形状の四隅に切り欠き部１を設けた食品用包装材２を、多数枚積層した状態で収容する収容体であって、背部３とその左右の表部４及び裏部５を有し、内側に積層した食品用包装材２を収容するようにしており、さらに、背部３に切れ込み６を形成してその内側部分７を折り曲げ、食品用包装材２の背部３側の切り欠き部１に入るようにしたものとしている。
【０００８】
表部４又は裏部５に隣接する延長部１５を設けたものとすることができる。
【０００９】
また、背部３の切れ込み６が、表部４及び裏部５との境界線上に形成されたものとすることができる。
【発明の効果】
【００１０】
この発明の食品用包装材収容体は、上述のような構成を有しており、多数枚積層した状態の食品用包装材２を、向きがずれたり痛んだりしないように収容することが可能である。
【発明を実施するための最良の形態】
【００１１】
この発明の食品用包装材収容体は、四角形状の四隅に切り欠き部１を設けた食品用包装材２を、多数枚積層した状態で収容する収容体であって、背部３とその左右の表部４及び裏部５を有し、内側に積層した食品用包装材２を収容するようにしており、さらに、背部３に切れ込み６を形成してその内側部分７を折り曲げ、食品用包装材２の背部３側の切り欠き部１に入るようにしたものである。
【００１２】
以下、この発明の好適な実施形態を、図面を参照して説明する。
【００１３】
図１はこの発明の実施形態の食品用包装材収容体の展開状態の正面図、図２は多数枚積層した状態の食品用包装材２の斜視図、図３は食品用包装材収容体を部分的に折り曲げて内側に食品用包装材２を配置した状態の正面図、図４は食品用包装材２を収容した食品用包装材収容体の右側から見た斜視図、図５は同底面図、図６は同左側から見た斜視図である。
【００１４】
この食品用包装材収容体は、図１に示したような１枚の板紙８に切れ目を設け、折り曲げることにより構成することができる。板紙８は、適宜の厚みのボール紙、段ボール紙とすることができる。
【００１５】
板紙８には、中央の上端縁部と下端縁部間に縦方向の平行な２本の第１折り目９と第２折り目１０が形成されており、この第１折り目９と第２折り目１０の間の部分が背部３となり、第１折り目９の左側が表部４、第２折り目１０の右側が背部３となる。
【００１６】
背部３には、上端縁部と下端縁部にそれぞれ縦方向の２本の平行な切れ込み６が形成されている。この切れ込み６は、表部４及び裏部５との境界線である前記第１折り目９と第２折り目１０の上に形成されている。また、背部３には、隣り合う切れ込み６の先端を結ぶ第３折り目１１と第４折り目１２が形成されている。
【００１７】
板紙８の四隅には、横方向の切れ込み１３が形成されており、さらに、これらの切れ込み１３と直角な折り目１４が形成されている。
【００１８】
食品用包装材２は、特開平９−２５２３号公報に記載のような、外フィルムの長辺側の外縁に一対の内フィルムの一辺を接合し、外フィルムの幅方向の略中央にて前記内フィルムの対向辺どうしを重ね合わせ、さらに外フィルムと内フィルムとの間に海苔等のシート状食品を挟んだおにぎり用包装材とすることができる。
【００１９】
食品包装材は１００枚単位で積層されており、図２に示したように、中間に食品包装材と同形状の紙製の中敷きを挟んでいるものとすることができる。
【００２０】
この食品用包装材収容体に食品用包装材２を収容するには、板紙８を第１折り目９〜第４折り目１２で内側に直角に折り曲げ、図３に示したように、第３折り目１１と第４折り目１２で折り曲げた切れ込み６の内側部分７が、それぞれ食品用包装材２の背部３側の２つの切り欠き部１に入るようにする。前記切れ込み６の内側部分７は、食品用包装材２の切り欠き部１の深さより少し長く、食品用包装材収容体と食品用包装材２との間に数ｍｍの隙間ができるようにしている。
【００２１】
また、前記四隅の横方向の切れ込み１３と直角な折り目１４をそれぞれ折り曲げることにより、食品用包装材収容体から食品用包装材２が抜けないようにすることができる。なお、図３は、食品用包装の収容状態を分かりやすくするため、板紙８の第１折り目９と、表部４の隅部の折り目１４で折り曲げていない状態を示している。
【００２２】
この食品用包装材収容体に収容された食品用包装材２は、切り欠き部１に入った前記切れ込み６の内側部分７により移動が制限されるとともに、食品用包装材収容体の背部３との間の隙間が確保される。これにより、車での運搬時等に揺れて各食品用包装材２の向きがずれたり、あるいは上下の切り欠き部１間の縁部が何かにぶつかって変形、損傷する等痛んだりすることが防止されるので、食品用包装材２をおにぎりの包装装置にスムーズに供給することができる。
【００２３】
背部３の切れの込み６は、表部４及び裏部５との境界線上に形成されているため、前記折り曲げた切れ込み６の内側部分７は、表部４と裏部５との間に挟まれ、揺動することなくしっかりとした安定状態が得られる。
【００２４】
なお、背部３の切れ込み６は、上端や下端に達するものではなく、少し内側にコ字状に切断された形状にすることにより、図７に示したように、背部３の上端縁部又は下端縁部が残るようにしてもよい。
【００２５】
また、この食品用包装材収容体は、図８、図９に示したように、表部４又は裏部５に隣接する延長部１５を設けたものとすることができる。図示したものは、左側の表部４に隣接する延長部１５を設けたもので、延長部１５の表部４寄りの部分には、背部３と同様に折り目１６，１７，１８，１９と切れ込み２０が設けられている。
【００２６】
この食品用包装材収容体は、図８に示した状態から各折り目を折り曲げ、延長部１５の左側端部を裏部５に接着することにより、食品用包装材２が背部３の反対側も延長部１５の表部４寄りの部分でカバーされるとともに、前記切れ込み２０の内側部分２１が食品用包装材２の反対側の切り欠き部１に入り、食品用包装材２が左右両側からしっかりと保持されるようになっている。
【図面の簡単な説明】
【００２７】
【図１】この発明の実施形態の食品用包装材収容体の展開状態の正面図である。
【図２】多数枚積層した状態の食品用包装材の斜視図である。
【図３】この発明の実施形態の食品用包装材収容体を部分的に折り曲げて内側に食品用包装材を配置した状態の正面図である。
【図４】この発明の実施形態の食品用包装材収容体に食品用包装材を収容した状態の右側から見た斜視図である。
【図５】この発明の実施形態の食品用包装材収容体に食品用包装材を収容した状態の底面図である。
【図６】この発明の実施形態の食品用包装材収容体に食品用包装材を収容した状態の左側から見た斜視図である。
【図７】この発明の他の実施形態の食品用包装材収容体に食品用包装材を収容した場合の斜視図である
【図８】この発明のさらに他の実施形態の食品用包装材収容体の展開状態の正面図である。
【図９】この発明のさらに他の実施形態の食品用包装材収容体に食品用包装材を収容した場合の斜視図である
【符号の説明】
【００２８】
１  切り欠き部
２  食品用包装材
３  背部
４  表部
５  裏部
６  切れ込み
７  内側部分
１５  延長部
【図１】
2006176163.tif 000003
【図２】
2006176163.tif 000004
【図３】
2006176163.tif 000005
【図４】
2006176163.tif 000006
【図５】
2006176163.tif 000007
【図６】
2006176163.tif 000008
【図７】
2006176163.tif 000009
【図８】
2006176163.tif 000010
【図９】
2006176163.tif 000011